(57)【特許請求の範囲】
【請求項１】
読み書き可能なデータキャリアが縫い付け又は貼り付けにより取り付けられるリネンと、
上記リネンに付されたデータキャリアに対して非接触でデータの読み書きをするリード・ライトヘッドと、
上記リード・ライトヘッドを制御するヘッドコントローラと、
を有し、
上記データキャリアには、上記リネンの洗濯の度に洗濯回数データを更新する回数データ記録部が設けられており、
上記リネンがクリーニングに出された場合には、上記リネンの上記データキャリアに記憶された上記洗濯回数データを参照してリネンの寿命管理を行なう、
ことを特徴とするリネンサプライシステム。
【請求項２】
読み書き可能なデータキャリアが縫い付け又は貼り付けにより取り付けられるリネンと、
上記リネンに付されたデータキャリアに対して非接触でデータの読み書きをするリード・ライトヘッドと、
上記リード・ライトヘッドを制御するヘッドコントローラと、
を有し、
上記データキャリアには、上記リネンの染み抜きの度に染み抜き回数データを更新する回数データ記録部が設けられており、
上記リネンがクリーニングに出された場合には、上記リネンの上記データキャリアに記憶された上記染み抜き回数データを参照してリネンの寿命管理を行なう、
ことを特徴とするリネンサプライシステム。
【請求項３】
読み書き可能なデータキャリアが縫い付け又は貼り付けにより取り付けられるリネンと、
上記リネンに付されたデータキャリアに対して非接触でデータの読み書きをするリード・ライトヘッドと、
上記リード・ライトヘッドを制御するヘッドコントローラと、
を有し、
上記データキャリアには、上記リネンの補修の度に補修回数データを更新する回数データ記録部が設けられており、
上記リネンがクリーニングに出された場合には、上記リネンの上記データキャリアに記憶された上記補修回数データを参照してリネンの寿命管理を行なう、
ことを特徴とするリネンサプライシステム。
【請求項４】
リネンに縫い付け又は貼り付けて取り付けられる、読み書き可能なデータキャリアであって、
上記リネンの洗濯の度に洗濯回数データを更新する回数データ記録部が設けられている、
ことを特徴とするリネン用データキャリア。
【請求項５】
リネンに縫い付け又は貼り付けて取り付けられる、読み書き可能なデータキャリアであって、
上記リネンの染み抜きの度に染み抜き回数データを更新する回数データ記録部が設けられている、
ことを特徴とするリネン用データキャリア。
【請求項６】
リネンに縫い付け又は貼り付けて取り付けられる、読み書き可能なデータキャリアであって、
上記リネンの補修の度に補修回数データを更新する回数データ記録部が設けられている、
ことを特徴とするリネン用データキャリア。
【発明の詳細な説明】
【０００１】
【発明の属する技術分野】
本発明はデータキャリア付リネンを使用したリネンサプライシステム及びリネン用データキャリアに関し、特に読み書き可能なリネン用データキャリアを利用したデータキャリア付リネンを使用したリネンサプライシステム及びリネン用データキャリアに関する。
【０００２】
【従来の技術】
例えば病院の医師や看護婦の使用する制服（以下、この制服をリネン材と呼ぶ）は、クリーニングのためにリネンサプライ業者に出されるが、この場合、各リネン材を識別するために各リネン材にタグを付ける。
【０００３】
今、これを図１２を参照しながら説明すると、リネン材１０をクリーニングに出す場合、病院名１１の書かれたリネン材１０にホッチキス等でタグ１２を取り付けてクリーニングに出していた。
【０００４】
なお、タグ１２はクリーニング中も取り外れないような厚手の紙製で、タグ１２には所定の識別番号１３等が書き込まれる。
【０００５】
【発明が解決しようとする課題】
しかしながら、上記のごとき従来のタグ付けによる方法では、以下のごとき不具合があった。
【０００６】
（１）毎回、洗浄の度にタグ１２を取り付ける作業が必要で、タグ付けに時間がかかる。また、タグ１２を取り外す作業にも時間がかかる。
【０００７】
（２）タグ１２の紙代、タグ付けのためのホッチキス代、識別番号１３の書き込み等のための時間を要し、例えば一枚のリネン材の耐洗数（洗濯可能な総回数）を１２０回とすると、耐洗数まで使用したときのこれらのコストは膨大となる。
【０００８】
この発明は、上記のごとき従来の不具合に鑑みてなされたもので、その目的とするところは、簡易、低コストにリネン材等のクリーニングができるデータキャリア付衣服を使用したリネンサプライシステム及びリネン用データキャリアを提供することにある。
【０００９】
【課題を解決するための手段】
上記目的を達成するために、請求項１のリネンサプライシステムは、読み書き可能なデータキャリアが縫い付け又は貼り付けにより取り付けられるリネンと、上記リネンに付されたデータキャリアに対して非接触でデータの読み書きをするリード・ライトヘッドと、上記リード・ライトヘッドを制御するヘッドコントローラと、を有し、上記データキャリアには、上記リネンの洗濯の度に洗濯回数データを更新する回数データ記録部が設けられており、上記リネンがクリーニングに出された場合には、上記リネンの上記データキャリアに記憶された上記洗濯回数データを参照してリネンの寿命管理を行なう、ことを特徴とする。
【００１０】
請求項２のリネンサプライシステムは、読み書き可能なデータキャリアが縫い付け又は貼り付けにより取り付けられるリネンと、上記リネンに付されたデータキャリアに対して非接触でデータの読み書きをするリード・ライトヘッドと、上記リード・ライトヘッドを制御するヘッドコントローラと、を有し、上記データキャリアには、上記リネンの染み抜きの度に染み抜き回数データを更新する回数データ記録部が設けられており、上記リネンがクリーニングに出された場合には、上記リネンの上記データキャリアに記憶された上記染み抜き回数データを参照してリネンの寿命管理を行なう、ことを特徴とする。
【００１１】
請求項３のリネンサプライシステムは、読み書き可能なデータキャリアが縫い付け又は貼り付けにより取り付けられるリネンと、上記リネンに付されたデータキャリアに対して非接触でデータの読み書きをするリード・ライトヘッドと、上記リード・ライトヘッドを制御するヘッドコントローラと、を有し、上記データキャリアには、上記リネンの補修の度に補修回数データを更新する回数データ記録部が設けられており、上記リネンがクリーニングに出された場合には、上記リネンの上記データキャリアに記憶された上記補修回数データを参照してリネンの寿命管理を行なう、ことを特徴とする。
【００１２】
請求項４のリネン用データキャリアは、リネンに縫い付け又は貼り付けて取り付けられる、読み書き可能なデータキャリアであって、上記リネンの洗濯の度に洗濯回数データを更新する回数データ記録部が設けられている、ことを特徴とする。
【００１３】
請求項５のリネン用データキャリアは、リネンに縫い付け又は貼り付けて取り付けられる、読み書き可能なデータキャリアであって、上記リネンの染み抜きの度に染み抜き回数データを更新する回数データ記録部が設けられている、ことを特徴とする。
【００１４】
請求項６のリネン用データキャリアは、リネンに縫い付け又は貼り付けて取り付けられる、読み書き可能なデータキャリアであって、上記リネンの補修の度に補修回数データを更新する回数データ記録部が設けられている、ことを特徴とする。
【００２３】
この発明では、例えばリネン材等の衣服に読み書き可能なリネン用データキャリアを付するので、このリネン用データキャリアに記憶されたデータに基づいて衣服を取り扱うことができ、リネンサプライ業者にクリーニングに出すに当たってもタグ等を付ける必要がない。
【００２４】
また、上記衣服は、リネン材とすることができる。
【００２５】
また、この発明では、上記リネン材に付されたリネン用データキャリアに対して非接触でデータの読み書きをするリード・ライトヘッドと、このリード・ライトヘッドを制御するヘッドコントローラとを有し、上記リネン材がクリーニングに出された場合には、上記リネン材のリネン用データキャリアに記憶されたデータを参照してリネンサプライが行われる。
【００２６】
ここで、上記リード・ライトヘッドは、携帯式とすることができるし、固定式とすることもできる。
【００２７】
また、上記リネン用データキャリアは、ボタン形状に一体成型し、ボタンと兼用することができる。
【００２８】
また、上記データキャリアは、小型で、薄型シート状とすることができ、表面に布製ワッペン等を接着し、ワッペン形状に一体型としたものを衣服に縫い付けまたは貼り付けすることができる。
【００２９】
さらに、上記データキャリアは、衣服に取り付けられる袋状のネームプレート中に内蔵し、内蔵品として一体成型することができる。
【００３０】
ここで、上記リネン用データキャリアは、ＰＰＳ樹脂により一体成型することができ、そのためクリーニングに耐える耐薬品性や、耐熱性を確保することができる。
【００３１】
【発明の実施の形態】
以下、本発明の実施例を図面に基づいて説明する。
【００３２】
なお、以下の説明では、本発明を病院の医師や看護婦が使用するリネン材に適用した場合であって、これらのリネン材をリネンサプライ業者にクリーニングに出す場合について説明する。
【００３３】
ところで、本実施例では、リネン材をクリーニングに出すに当たって、従来のようにタグ付けはせず、読み書き可能なリネン用データキャリアを付する。
【００３４】
図１は、このようなリネン用データキャリアを利用したデータキャリア付衣服の具体例を示す外観図であるが、３通りの態様を示している。
【００３５】
まず、１番目は、（ａ）に示すごとく、リネン材１０のボタンの一つをリネン用データキャリアとして利用してボタン型リネン用データキャリア２０としたもので、（ｂ）に示すごとく、ボタン型リネン用データキャリア２０はボタン形状に構成されている。
【００３６】
２番目は、（ｃ）に示すごとく、リネン材１０の胸ポケット１５に挿入して利用できるようにしたポケット挿入型リネン用データキャリア２１で、（ｄ）に示すごとく、ポケット挿入型リネン用データキャリア２１は胸ポケット１５に挿入できるよう薄型の直方体状に構成されている。
【００３７】
３番目は、（ｅ）に示すごとく、リネン材１０に縫い付けられたワッペン状のネームプレート２４を利用したワッペン型リネン用データキャリア２２で、（ｆ）に示すごとく、ワッペン型リネン用データキャリア２２は、表面側２３に病院名等が印刷されたワッペン状のネームプレート２４中に挿入できるよう、薄型シート状の構成となっている。
【００３８】
ところで、この種の読み書き可能なリネン用データキャリアは、非接触でＲ／Ｗ（リード・ライト）ヘッドによって読み書きされるわけであるが、これは例えば、図２に示すごとく、ボタン型リネン用データキャリア２０が取り付けられたリネン材１０がＲ／Ｗ（リード・ライト）ヘッド３０の設置されたゲート２７を通過するとき、Ｒ／Ｗ（リード・ライト）ヘッド３０によってボタン型リネン用データキャリア２０の読み書きがされる。なお、このようなＲ／Ｗ（リード・ライト）ヘッド３０の制御は、図３に示すコントローラ４０によって行われる。
【００３９】
次に、上記のごときリネン用データキャリア（以下、符号２０で代表する）、Ｒ／Ｗ（リード・ライト）ヘッド３０、およびＲ／Ｗ（リード・ライト）ヘッド３０を制御するコントローラ４０の構成を図３を参照しながら説明する。
【００４０】
図３に示すものは、例えば電磁結合方式でリネン用データキャリア２０およびＲ／Ｗ（リード・ライト）ヘッド３０間でデータの送受信を行うもので、データキャリア２０は、コイル５１、整流回路５２、復調回路５３、変調回路５４、制御回路５５、メモリ５６、コンデンサ５７，５８、スイッチ５９より構成されている。
【００４１】
また、Ｒ／Ｗ（リード・ライト）ヘッド３０は、コイル３１、コンデンサ３２、ＬＣ発振器３３より構成され、コントローラ４０は、変調回路４１、復調回路４２、外部コンピュータ５０に接続される制御回路４３より構成されている。
【００４２】
ここで、リネン用データキャリア２０のメモリ５６には、予めデータが書き込まれており、ＬＣ発振器３３より常時パルスを発信しているＲ／Ｗ（リード・ライト）ヘッド３０の前面に来たとき、そのパルスに応答して自分のデータを送り返す。
【００４３】
Ｒ／Ｗ（リード・ライト）ヘッド３０はそのデータを受信してコントローラ４０に送信し、前面にきたリネン用データキャリア２０のデータを認識する。
【００４４】
さらに、必要により、リネン用データキャリア２０の一部あるいは全部のデータを書き替えたいときには、コントローラ４０からの指令でＲ／Ｗ（リード・ライト）ヘッド３０から書き替えのパルスを発信し、書き替えることができる。
【００４５】
以上が、リネン用データキャリア２０、Ｒ／Ｗ（リード・ライト）ヘッド３０、およびＲ／Ｗ（リード・ライト）ヘッド３０を制御するコントローラ４０の構成であるが、次に、上記のごときリネン用データキャリア２０が取り付けられたリネン材１０がＲ／Ｗ（リード・ライト）ヘッド３０の前面に来て、リネン用データキャリア２０に対するデータの読み書きが行われる場合の処理手順を図４および図５を参照しながら説明する。
【００４６】
図４は、Ｒ／Ｗ（リード・ライト）ヘッド３０によってリネン用データキャリア２０に対するデータの読取りが行われる場合の処理手順で、プログラムがスタートすると、リネン用データキャリア２０が近付いたことを認識し（ステップ１００）、リネン用データキャリア２０のメモリ５６に格納されているデータを読み取る（ステップ１１０）。
【００４７】
図５は、Ｒ／Ｗ（リード・ライト）ヘッド３０によってリネン用データキャリア２０に対するデータの書き込みが行われる場合の処理手順で、プログラムがスタートすると、リネン用データキャリア２０が近付いたことを認識し（ステップ１２０）、リネン用データキャリア２０のメモリ５６に必要なデータを書き込む（ステップ１１０）。
【００４８】
図６には、こうして読み書きされるリネン用データキャリア２０のメモリ５６のメモリマップ６０が示されており、メモリマップ６０は、固定データ部分６１と、書き替え可能な非固定データ部分６２を有し、固定データ部分６１は書き替え不能な読み出し専用部分であるが、非固定データ部分６２は回数データ（６２−１）や日時データ（６２−２）より構成され、例えば、回数データ（６２−１）の洗浄回数データ７１、染み抜き回数データ７２、補修回数データ７３は、新たに洗浄、染み抜き、補修等が行われる度にデータが更新されるようになっている。日時データ（６２−２）も同様である。
【００４９】
次に、図７乃至図１０を参照しながら図１に示したデータキャリアについてその詳細を説明する。なお、図１に示したものと同一部分には同一符号を付して説明する。
【００５０】
まず、図７にボタン型リネン用データキャリア２０の詳細を示す。
【００５１】
同図に示すごとく、ボタン型リネン用データキャリア２０はボタン形状に構成され、ＰＰＳ樹脂８６中にデータキャリア部２０Ａが埋め込まれた構成となっている。
【００５２】
データキャリア部２０Ａは、基板８０、この基板８０上に設けられたＩＣチップ部８１、コンデンサ部８２、アンテナ５１より構成されている。
【００５３】
なお、ＩＣチップ部８１は図３に示したデータキャリア２０の構成中、整流回路５２、復調回路５３、変調回路５４、制御回路５５、メモリ５６を含み、コンデンサ部８２はコンデンサ５７，５８を含んで構成されている。
【００５４】
次に、図８に、ワッペン型（シート状）リネン用データキャリア２２の構成の詳細を示す。
【００５５】
図８（ａ）はワッペン型リネン用データキャリア２２が布製ワッペン８３の裏面側に取り付けられた状態の表面図、図８（ｂ）はそのＩ−Ｉ線断面図であるが、ワッペン型リネン用データキャリア２２は、薄型シート状に成型されたＰＰＳ樹脂８７にデータキャリア部２０Ａが埋め込まれて構成され、ネーム等が記された布製ワッペン８３の裏面側に糊等で固着されて取り付けられる。
【００５６】
なお、データキャリア部２０Ａの構成は図７に示したデータキャリア部２０Ａの構成と同様なので、重複した説明は省略する。
【００５７】
次に、図９に、図１には示さなかったが、ネームプレート型リネン用データキャリア２８の構成の詳細を示す。
【００５８】
図９（ａ）はネームプレート型リネン用データキャリア２８の概略構成を示す斜視図、図９（ｂ）はそのＩＩ−ＩＩ線断面図であるが、ネームプレート型リネン用データキャリア２８は直方体状に成型されたＰＰＳ樹脂８８にデータキャリア部２０Ａが埋め込まれて構成され、ネームプレート型リネン用データキャリア８４の裏面側にはネームプレート取り付け用のクリップ２８が取り付けられている。
【００５９】
なお、データキャリア部２０Ａの構成は図７に示したデータキャリア部２０Ａの構成と同様なので、重複した説明は省略する。
【００６０】
図１０には、リネン用データキャリアの取り付け場所と、取り付け方法について示す。
【００６１】
図７に示したボタン型リネン用データキャリア２０は、リネン材１０のボタンとしてボタン兼用で使用される。
【００６２】
図８に示したワッペン型リネン用データキャリア２２は、リネン材１０の襟の裏面位置９０又は襟後部内側部分９１に縫い付け又は貼り付けて使用される。特に襟後部内側部分９１に取り付ける場合は、折り畳んだとき上面にリネン用データキャリア２２が位置するために、データのリード・ライトがしやすいという効果がある。
【００６３】
図９に示された、ネームプレート型リネン用データキャリア２８は、ネームプレートとしてリネン材１０の胸部９２にクリップ８９（図示せず）で取り付けられる。
【００６４】
図１１には、図２に示したのとは別の形態のリード・ライトヘッド３０の様子を示す。
【００６５】
リード・ライトヘッド３０には、ハンディタイプ（携帯式）３０Ａと据え置きタイプ（固定式）３０Ｂがあり、それらはコントローラ４０と接続されている。
【００６６】
ハンディタイプのリード・ライトヘッド３０Ａは、人手によりリネン用データキャリア２０に接近させてデータの授受を行い、据え置きタイプのリード・ライトヘッド３０Ｂは、リネン材１０がリード・ライトヘッド３０Ｂの近くを通過することにより、自動的にデータの授受を行なうことができる。
【００６７】
以上の説明では、本発明を病院の医師や看護婦が使用するリネン材をクリーニングに出す場合について説明したが、本発明はこれらに限定されず、その他さまざまな分野の衣服に適用できることは勿論である。
【００６８】
以上のように、本実施例では、制服１０に読み書き可能なリネン用データキャリア２０を取り付け、リード・ライトヘッド３０によってリネン用データキャリア２０対するデータの読み書きができるようにしたので、以下のような効果を奏する。
【００６９】
（１）リネンサプライ業者にクリーニングに出すに際して、従来のタグに記載していたような情報は、リード・ライトヘッド３０によってリネン用データキャリア２０に書き込むことができ、またこうしてリネン用データキャリア２０に書き込まれた情報は、ほかの場所（例えばクリーニング工場）で別のリード・ライトヘッド３０によって読み込むことができるので、従来のタグは不要となって簡易、低コストにリネンサプライができる。
【００７０】
（２）リネン用データキャリア２０には、さまざまな情報の読み書きができるので、利用者ヘのサービスの向上につながる。リネン用データキャリア２０には、例えば、洗浄回数データ７１が書き込まれるので、寿命が近付くと、利用者にそれらの情報を提供できる。
【００７１】
（３）リネン用データキャリア２０は、ボタンやネームプレートと兼用できたり、ワッペンの裏面にシート状で取り付けられるので、特別な取り付け位置を特に要すること無く取り付けられ、従来のリネン材に容易に取り付けることができる。
【００７２】
また、リネン用データキャリア２０の成型材料には耐薬品性、耐熱性に優れたＰＰＳ樹脂を用いることができるので、内部のデータキャリア部を効果的に保護することができる。
【００７３】
【発明の効果】
以上の説明から明らかなように、この発明では、以下の効果を奏する。
【００７４】
（１）リネン材等の衣服に読み書き可能なリネン用データキャリアを付するので、このデータキャリアに記憶されたデータに基づいて衣服を取り扱うことができ、リネンサプライ業者にクリーニングに出すに当たってもタグ等を付ける必要がない。従って、簡易、低コストにリネン材等のクリーニングができるリネンサプライシステムを提供することができる。
【００７５】
（２）また、リネン用データキャリアには、リード・ライトヘッドによってさまざまな情報の読み書きができるので、利用者ヘのサービスの向上につながる。例えばデータキャリアには、洗浄回数データ等が書き込まれるので、寿命が近付くと、利用者にそれらの情報を提供できる。
【００７６】
（３）リネン用データキャリアは、ボタンやネームプレートと兼用できたり、ワッペンの裏面にシート状で取り付けられるので、特別な取り付け位置を特に要すること無く取り付けられ、従来のリネン材に容易に取り付けることができる。
【００７７】
また、リネン用データキャリアの成型材料には耐薬品性、耐熱性に優れたＰＰＳ樹脂を用いることができるので、内部のデータキャリア部を効果的に保護することができる。
【図面の簡単な説明】
【図１】リネン用データキャリアを利用したリネン用データキャリア付衣服の具体例を示す外観図。
【図２】例えばボタン型リネン用データキャリアが取り付けられた制服がＲ／Ｗ（リード・ライト）ヘッドの設置されたゲートを通過するとき、Ｒ／Ｗ（リード・ライト）ヘッドによってデータがリネン用データキャリアに読み書きされる場合の状態を示す説明図。
【図３】リネン用データキャリア、Ｒ／Ｗ（リード・ライト）ヘッド、およびＲ／Ｗ（リード・ライト）ヘッドを制御するコントローラの各構成を示すブロック図。
【図４】Ｒ／Ｗ（リード・ライト）ヘッドによってリネン用データキャリアに対するデータの読取りが行われる場合の処理手順を示すフローチャート。
【図５】Ｒ／Ｗ（リード・ライト）ヘッドによってリネン用データキャリアに対するデータの書き込みが行われる場合の処理手順を示すフローチャート。
【図６】リネン用データキャリアのメモリのデータ構造を示すメモリマップ図。
【図７】ボタン形リネン用データキャリアの構造を示す概略図。
【図８】薄型シート状でワッペン型のリネン用データキャリアの構造を示す概略図
【図９】ネームプレート型のリネン用データキャリアの構造を示す概略図。
【図１０】リネン用データキャリアのリネン材への取り付け場所と取り付け方法。
【図１１】ハンディタイプと据え置きタイプの２つのリード・ライドヘッドとリネン用データキャリアとのデータの授受を示した概念図。
【図１２】従来、リネンサプライ業者に出されるリネン材にタグを付ける場合の説明図。
【符号の説明】
１０  リネン材
１１  病院名
１２  タグ
１３  識別番号
１５  胸ポケット
２０  ボタン型データキャリア
２１  ポケット挿入型データキャリア
２２  ワッペン型リネン用データキャリア
２３  表面側
２４  ワッペン状のネームプレート
２７  ゲート
２８  ネームプレート型リネン用データキャリア
３０  Ｒ／Ｗ（リード・ライト）ヘッド
３１  コイル
３２  コンデンサ
３３  ＬＣ発振器
４０  コントローラ
４１  変調回路
４２  復調回路
５０  外部コンピュータ
５１  コイル
５２  整流回路
５３  復調回路
５４  変調回路
５５  制御回路
５６  メモリ
５７，５８  コンデンサ
５９  スイッチ
６０  メモリマップ
６１  固定データ部分
６２  非固定データ部分
（６２−１）  回数データ
（６２−２）  日時データ
７１  洗浄回数データ
７２  染み抜き回数データ
７３  補修回数データ
８０  基板
８１  ＩＣ部
８２  コンデンサー部
２０Ａ  データキャリア部
８６，８７，８８  ＰＰＳ樹脂
８９  クリップ
９０  リネン材１０の襟の裏面位置
９１  襟後部内側部分
９２  リネン材１０の胸部
３０Ａ  リード・ライトヘッド（ハンディタイプ）
３０Ｂ  リード・ライトヘッド（据え置きタイプ）
【図１】
0003572597.tif 000002
【図２】
0003572597.tif 000003
【図３】
0003572597.tif 000004
【図４】
0003572597.tif 000005
【図５】
0003572597.tif 000006
【図６】
0003572597.tif 000007
【図７】
0003572597.tif 000008
【図８】
0003572597.tif 000009
【図９】
0003572597.tif 000010
【図１０】
0003572597.tif 000011
【図１１】
0003572597.tif 000012
【図１２】
0003572597.tif 000013